(57)【要約】  情報伝送装置、方法及び通信システムが提供される。該情報伝送方法は、ユーザ装置が第一基地局送信の、第一基地局と第二基地局との間のチャンルに対応する第一チャンル情報を受信し；及び前記第一チャンル情報に対応する第一基地局の標識情報及び／又は前記第一チャンル情報を第二基地局に報告することを含む。これにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、また、複数の装置の間の上り下りリンク伝送による干渉を回避又は緩和することができる。
2019511159.tif 000002
【特許請求の範囲】
【請求項１】
ユーザ装置に設置される情報伝送装置であって、
第一基地局が送信した、前記第一基地局と第二基地局との間のチャンルに対応する第一チャンル情報を受信するための情報受信ユニット；及び
前記第一チャンル情報に対応する第一基地局の標識情報及び／又は前記第一チャンル情報を前記第二基地局に報告するための情報報告ユニットを含む、装置。
【請求項２】
請求項1に記載の情報伝送装置であって、
前記ユーザ装置と前記第二基地局との間のチャンルの第二チャンル情報を得るための情報取得ユニットをさらに含み、
前記チャンル報告ユニットは、さらに、前記第二チャンル情報を前記第二基地局に報告するために用いられる、装置。
【請求項３】
請求項2に記載の情報伝送装置であって、
前記第二基地局が送信したスケジューリング情報を受信し、前記スケジューリング情報に基づいて上り下りリンク伝送を行うためのスケジューリング受信ユニットをさらに含む、装置。
【請求項４】
請求項2に記載の情報伝送装置であって、
前記第一チャンル情報及び／又は前記第二チャンル情報は、チャンル推定により得られたチャンル状態情報、及び／又は、無線リソース測定により得られたチャンル測定情報を含む、装置。
【請求項５】
請求項1に記載の情報伝送装置であって、
前記第一チャンル情報には、方向情報が含まれ、前記方向情報は、BI(Beam  Index)、PMI(Precoding  Matrix  Indicator)、CRI(CSI-RS  resource  indicator)のうちの１つ又は複数を含む、装置。
【請求項６】
請求項1に記載の情報伝送装置であって、
前記第一チャンル情報は、前記第一基地局により、マスター情報ブロック及び／又はシステム情報ブロックを用いて送信され、又は、下りリンク制御情報を用いて送信される、装置。
【請求項７】
請求項1に記載の情報伝送装置であって、
前記情報報告ユニットは、周期的フィードバック方式又は非周期的フィードバック方式で、前記第二基地局に、前記第一チャンル情報に対応する第一基地局の標識情報及び／又は前記第一チャンル情報を報告する、装置。
【請求項８】
請求項2に記載の情報伝送装置であって、
前記第一チャンル情報に対応する第一基地局の標識情報は、前記第二チャンル情報により指示されている方向と同じである前記第一チャンル情報に対応する第一基地局の標識情報；又は、前記ユーザ装置と同時に上り下りリンク伝送を行うことに適した１つ又は複数の第一基地局の標識情報；又は、前記ユーザ装置が受信した全ての第一チャンル情報に対応する第一基地局の標識情報を含む、装置。
【請求項９】
第一基地局に設定される情報伝送装置であって、
前記第一基地局と前記第二基地局との間のチャンルの第一チャンル情報を得るための情報取得ユニット；及び、
ユーザ装置に前記第一基地局と前記第二基地局との間のチャンルの前記第一チャンル情報を送信するための情報送信ユニットを含む、装置。
【請求項１０】
請求項9に記載の情報伝送装置であって、
前記第一チャンル情報は、チャンル推定により得られたチャンル状態情報、及び／又は、無線リソース測定により得られたチャンル測定情報を含む、装置。
【請求項１１】
請求項9に記載の情報伝送装置であって、
前記第二基地局が送信したスケジューリング情報を受信し、前記スケジューリング情報に基づいて上り下りリンク伝送を行うためのスケジューリング受信ユニットを含む、装置。
【請求項１２】
第二基地局に設置される情報伝送装置であって、
ユーザ装置が報告した、第一基地局と前記第二基地局との間のチャンルの第一チャンル情報、及び／又は、前記第一チャンル情報に対応する第一基地局の標識情報を受信するための第一情報受信ユニット；及び
前記ユーザ装置が報告した、前記ユーザ装置と前記第二基地局との間のチャンルの第二チャンル情報を受信するための第二情報受信ユニットを含む、装置。
【請求項１３】
請求項12に記載の情報伝送装置であって、
前記第一チャンル情報及び／又は前記第二チャンル情報は、チャンル推定により得られたチャンル状態情報、及び／又は、無線リソース測定により得られたチャンル測定情報を含む、装置。
【請求項１４】
請求項12に記載の情報伝送装置であって、
前記ユーザ装置が報告したフィードバック情報に基づいて、スケジューリング・デシジョンを行うためのスケジューリング・デシジョン・ユニット；及び
前記第一基地局及び前記ユーザ装置にスケジューリング情報を送信するためのスケジューリング送信ユニットを含む、装置。
【請求項１５】
請求項14に記載の情報伝送装置であって、
前記スケジューリング情報は、従来の下りリンク制御情報フォーマット1〜5と異なる下りリンク制御情報フォーマットを使用する、装置。
【請求項１６】
ユーザ装置、第一基地局及び第二基地局を含む通信システムであって、
前記ユーザ装置には、請求項1に記載の情報伝送装置が設定され、
前記第一基地局には、請求項9に記載の情報伝送装置が設定され、
前記第二基地局には、請求項12に記載の情報伝送装置が設定される、通信システム。
【請求項１７】
請求項16に記載の通信システムであって、
前記ユーザ装置は、従来の伝送モード1〜10と異なる伝送モードを使用するように設定される、通信システム。
【発明の詳細な説明】
【技術分野】
【０００１】
本発明は、無線通信技術分野に関し、特に、情報伝送装置、方法及び通信システムに関する。
【背景技術】
【０００２】
3GPP(3GPP、3rd  Generation  Partnership  Project)中のLTE(LTE、Long  Term  Evolution)のTDD(TDD、Time  Division  Duplex)システムについての研究では、eIMTA(eIMTA、enhanced  Interference  Mitigation  and  Traffic  Adaption)が、１つの適応（Adaption）技術として、固定したTDDフレーム構造設定を打破し、上り下りリンク比率を柔軟に変更するために用いられる。
【０００３】
しかし、１つのセルのTDDフレーム構造設定（configure）を変更することにより、隣接するセルに影響を与えることができ、例えば、２つの隣接するセルが相反する上り下りリンク設定を採用することにより、システムでは、単純な基地局のユーザ装置への干渉及びユーザ装置の基地局への干渉だけでなく、基地局の基地局への干渉及びユーザ装置のユーザ装置への干渉も出現する。
【０００４】
通常、基地局が比較的高く設けられており、基地局及び基地局間は、多くは、直接伝送経路であり、減衰も比較的小さく、そのため、ある程度、基地局と基地局との間の干渉を増加させてしまうことがある。eIMTAの研究では、干渉を低減するために、各セルの上り下りリンクについて再設定して多くの制限を設けている。例えば、マクロ基地局のTDDフレーム構造は、再設定されず、或いは、上りリンクのみを下りリンクに再設定することが許され、或いは、個別のサブフレームのみにおいて上り下りリンクの再設定が許される。
【０００５】
しかし、未来の5G移動通信システムでは、通信シナリオがより多様化され、ネットワークアーキテクチャがますます柔軟になり、また、上り下りリンクのトラフィック比率のニーズもますます柔軟且つ多様になる。このような状況では、eIMTAに設定されている多くの制限は、未来のトラフィックのニーズを満たすことができない。
【０００６】
よって、5Gでは、より柔軟なデュプレックス・モードが必要になり、即ち、システム干渉を配慮した場合、各セルは、自分のユーザのトラフィック状況に基づいて、上り下りリンク設定を選択することができる。異質（heterogeneous）ネットワークを例とすると、マクロ基地局(例えば、MTPと言う)のカバレッジおいて、複数の伝送ポイント(TP、Transmission  Point)は、上りリンク及び下りリンク伝送トラフィックを同時にサポートすることができる。例えば、マクロ基地局(MTP)は、下りリンク通信を行い、そのカバレッジ内のスモール基地局(例えば、STPと言う)は、下りリンク通信を行うことができ、上りリンク通信を行うこともでき、これは、該STPのカバレッジ内のユーザのトラフィックのニーズに関連する。
【０００７】
逆に、MTPは、上りリンク通信を行っても良く、該MTPのカバレッジ内のSTPは、下りリンク通信を行うことができ、上りリンク通信を行うこともでき、このような柔軟な伝送方式は、柔軟な上り下りリンクのトラフィックの伝送を実現することができる。
【０００８】
また、マルチポイント伝送と異なり、柔軟な上り下りリンクスケジューリングでは、距離が比較的小さい（近い）基地局がジョイントして伝送を行うことができるだけでなく、距離が比較的大きい（遠い）複数の基地局(ひいては、互いにX2インターフェースによる接続が無い複数の基地局)も、同時に柔軟な上り下りリンク伝送を行うようにスケジューリングされ得る。よって、干渉(例えば、基地局及び基地局間の干渉)の抑制案をより強化する必要がある。
【０００９】
なお、上述の背景技術についての紹介は、本発明の技術案を明確かつ完全に説明し、また、当業者がそれを理解しやすいためのものである。これらの案は、本発明の背景技術の部分に記述されているため、当業者にとって周知であると解釈すべきではない。
【発明の概要】
【発明が解決しようとする課題】
【００１０】
本発明の実施例は、情報伝送装置、方法及び通信システムを提供する。ユーザ装置のフィードバックにより、スケジューリング・デシジョン（scheduling  decision）を行う伝送ポイントは、柔軟なデュプレックス伝送に必要なチャンル情報を得ることができるので、複数の装置(例えば、距離が比較的遠い複数の基地局、或いは、互にX2接続がない複数の基地局、或いは、バックホール・レイテンシ(backhaul  latency)が比較的大きい複数の基地局)が同時に柔軟な上り下りリンク伝送を行うようにサポートすることができる。
【課題を解決するための手段】
【００１１】
本発明の実施例の第一側面によれば、情報伝送方法が提供され、それは、
ユーザ装置が、第一基地局により送信された、該第一基地局と第二基地局との間のチャンルに対応する第一チャンル情報を受信し；及び
前記第一チャンル情報に対応する第一基地局の標識情報、及び／又は、前記第一チャンル情報を前記第二基地局に報告することを含む。
【００１２】
本発明の実施例の第二側面によれば、情報伝送装置が提供され、それは、ユーザ装置に構成され、前記情報伝送装置は、
情報受信ユニットであって、第一基地局により送信された、前記第一基地局と第二基地局との間のチャンルに対応する第一チャンル情報を受信するためのもの；及び
情報報告ユニットであって、前記第一チャンル情報に対応する第一基地局の標識情報、及び／又は、前記第一チャンル情報報を前記第二基地局に報告するためのものを含む。
【００１３】
本発明の実施例の第三側面によれば、情報伝送方法が提供され、それは、
第一基地局が、前記第一基地局と前記第二基地局との間のチャンルの第一チャンル情報を取得し；及び
ユーザ装置に、前記第一基地局と前記第二基地局との間のチャンルの前記第一チャンル情報を送信することを含む。
【００１４】
本発明の実施例の第四側面によれば、情報伝送装置が提供され、それは、第一基地局に構成され、前記情報伝送装置は、
情報取得ユニットであって、前記第一基地局と前記第二基地局との間のチャンルの第一チャンル情報を取得するためのもの；及び
情報送信ユニットであって、ユーザ装置に、前記第一基地局と前記第二基地局との間のチャンルの前記第一チャンル情報を送信するためのものを含む。
【００１５】
本発明の実施例の第五側面によれば、情報伝送方法が提供され、それは、
第二基地局が、ユーザ装置により報告された、第一基地局と第二基地局との間のチャンルの第一チャンル情報、及び／又は、前記第一チャンル情報に対応する第一基地局の標識情報を受信し；及び
前記第二基地局が、前記ユーザ装置により報告された、前記ユーザ装置と前記第二基地局との間チャンルの第二チャンル情報を受信することを含む。
【００１６】
本発明の実施例の第六側面によれば、情報伝送装置が提供され、それは、第二基地局に構成され、前記情報伝送装置は、
第一情報受信ユニットであって、ユーザ装置により報告された、第一基地局と第二基地局との間のチャンルの第一チャンル情報、及び／又は、前記第一チャンル情報に対応する第一基地局の標識情報を受信するためのもの；及び
第二情報受信ユニットであって、前記ユーザ装置により報告された、前記ユーザ装置と前記第二基地局との間のチャンルの第二チャンル情報を受信するためのものを含む。
【００１７】
本発明の実施例の第七側面によれば、通信システムが提供され、前記通信システムは、
上述の第二側面に記載の情報伝送装置が構成されるユーザ装置；
上述の第四方面に記載の情報伝送装置が構成される第一基地局；及び
上述の第六方面に記載の情報伝送装置が構成される第二基地局を含む。
【００１８】
本発明の実施例の有益な効果は、次の通りであり、即ち、第一基地局が該第一基地局と第二基地局との間のチャンル情報を得てユーザ装置に送信し、ユーザ装置が該チャンル情報を第二基地局に転送することにより、スケジューリング・デシジョンを行う第二基地局は、柔軟なデュプレックス伝送に必要なチャンル情報を得ることができるので、複数の装置が柔軟な上り下りリンク伝送を同時に行うようにサポートし、複数の装置間に上り下りリンク伝送を行うことによる干渉を回避又は緩和することができる。
【００１９】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００２０】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２１】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００２２】
本発明の実施例の１つの図面又は１つの実施方式で説明した要素及び特徴は、１つ又は複数の他の図面或いは実施方式に示した要素及び特徴と組み合わせることができる。また、図面では、同様の符号は、幾つかの図面において対応する部品を表し、また、１つ以上の実施方式中で使用する対応部品を示すために用いられても良い。
【図１】本発明の実施例1における情報伝送方法を示す図である。
【図２】本発明の実施例1における第一基地局からユーザ装置へ第一チャンル情報を送信することを示す図である。
【図３】本発明の実施例1におけるユーザ装置から第二基地局へ情報を報告することを示す図である。
【図４】本発明の実施例1におけるもう１つの情報伝送方法を示す図である。
【図５】本発明の実施例1におけるもう１つの情報伝送方法を示す図である。
【図６】本発明の実施例2における情報伝送方法を示す図である。
【図７】本発明の実施例3における情報伝送方法を示す図である。
【図８】本発明の実施例4における情報伝送装置を示す図である。
【図９】本発明の実施例4におけるユーザ装置を示す図である。
【図１０】本発明の実施例5における情報伝送装置を示す図である。
【図１１】本発明の実施例5における基地局を示す図である。
【図１２】本発明の実施例6における情報伝送装置を示す図である。
【図１３】本発明の実施例7における通信システムを示す図である。
【発明を実施するための形態】
【００２３】
添付した図面及び以下の説明を参照することにより、本発明の前述及び他の特徴が明らかになる。なお、明細書及び図面では、本発明の特定の実施方式を開示しているが、それは、本発明の原理を採用し得る一部のみの実施方式を示し、理解すべきは、本発明は、記載されている実施方式に限定されず、即ち、本発明は、添付した特許請求の範囲内での全ての変更、変形及び代替によるものも含むということである。
【００２４】
本願では、基地局は、アクセスポイント、ブロードキャスト送信機、ノードB、進化ノードB(eNB)などと称されても良く、且つそれらの幾つか又は全ての機能を含む。本文では、用語“基地局”を使用する。各基地局は、特定の地理的領域を通信可能にカバーする。用語“セル”とは、基地局及び／又はそのカバーする領域（カバレッジ）を指しても良いが、これは、該用語を使用する（含む）コンテキストによって決まる。
【００２５】
本願では、移動局又は装置は、“ユーザ装置”(UE、User  Equipment)と称されても良い。UEは、固定したもの又は移動可能なものであっても良く、移動ステーション、端末、アクセス端末、ユーザユニット、ステーションなどと称されても良い。UEは、セルラーフォン、PDA、無線モデム、無線通信装置、携帯装置、ノートブック型コンピュータ、コードレスフォンなどであっても良い。
【実施例１】
【００２６】
本発明の実施例は、情報伝送方法を提供し、それは、ユーザ装置に応用される。図1は、本発明の実施例における情報伝送方法を示す図であり、ユーザ装置側から説明を行う。図1に示すように、該情報伝送方法は、次のようなステップを含む。
【００２７】
ステップ101：ユーザ装置が、第一基地局により送信された、該第一基地局及び第二基地局との間のチャンルの第一チャンル情報を受信し；
ステップ102：ユーザ装置が、該第一チャンル情報に対応する第一基地局の標識情報、及び／又は、該第一チャンル情報を該第二基地局に報告する。
【００２８】
本実施例では、異質ネットワークを例として説明を行う。ここで、第二基地局は、マクロ基地局(又はマクロ伝送ポイントであり、本文ではMTPと言う)であっても良く、該マクロ基地局により生成されたマクロセル(例えば、Macro  cell)は、ユーザ装置をサービングすることができ、また、第一基地局は、スモール基地局(本文ではSTPと言う)であっても良く、該スモール基地局により生成されたスモールセル(例えば、Small  cell)は、ユーザ装置にサービスを提供することができる。第一基地局と第二基地局との間は、X2インターフェースにより情報の交互（やり取り）を行っても良く、或いは、X2インターフェースを有せず、新しい無線インターフェースフォーマットを定義して情報の交互を行っても良い。
【００２９】
なお、本発明は、これに限定されず、実際のニーズに応じて具体的なシナリオを確定しても良い。以下、異質ネットワークにおいてMTPが下りリンク伝送を行い、STPが上りリンク伝送を行うケースのみを例として説明を行うが、本発明は、他のネットワーク構造又はシナリオにも適用することができ、例えば、MTPが上りリンク伝送を行い、STPが下りリンク伝送を行うシナリオにも適用することができる。
【００３０】
異質ネットワークにおいてMTPが下りリンク伝送を行い、STPが上りリンク伝送を行うシナリオでは、MTPは、送信端として、受信端としてのSTPに干渉を与えることができる。通常、受信端は、チャンル推定により、送信端と受信端との間のチャンル情報を得ることができる。しかし、従来のLTEシステムでは、下りリンクは、OFDM(OFDM、Orthogonal  Frequency  Division  Multiplexing)伝送を採用するが、上りリンクは、SC-FDMA(SC-FDMA、Simple-Carrier  Frequency  Division  Multiplexing)伝送を採用するため、受信端としてのSTPは、MTPとSTPとの間のチャンル情報を推定することができない。
【００３１】
本実施例では、MTPとSTPとの間のチャンル情報を得るために、STPは、アイドルタイムスロットでMTP送信の参照信号を受信し、そして、MTPとSTPとの間のチャンル状態情報(CSI、Channel  State  Information)を推定することができ、即ち、チャンル推定により、第一基地局と第二基地局との間のCSIを得ることができる。
【００３２】
また、対応する無線リソース測定を行うことで、第一基地局と第二基地局との間のチャンル測定情報、例えば、参照信号受信パワー(RSRP、Reference  Signal  Received  Power)及び／又は、参照信号受信品質(RSRQ、Reference  Signal  Received  Quality)などを得ても良い。
【００３３】
よって、第一基地局と第二基地局との間にX2接続が無くても、ユーザ装置の転送により、第二基地局は、第一基地局と第二基地局との間のチャンルの第一チャンル情報を得ることもでき、該第一チャンル情報は、短期又は瞬時を表すパラメータ(例えば、CSI)であっても良く、長期を表すパラメータ(例えば、RSRP及び／又はRSRQ)であっても良い。
【００３４】
ステップ101では、ユーザ装置は、１つ又は複数の第一基地局が送信した第一チャンル情報を受信することができる。該第一チャンル情報は、第一基地局がマスター情報ブロック(MIB、Master  Information  Block)及び／又はシステム情報ブロック(SIB、System  Information  Block)で送信しても良く、又は、下りリンク制御情報(DCI、Downlink  Control  Information)で送信しても良い。
【００３５】
図2は、本発明の実施例における第一基地局からユーザ装置への第一チャンル情報の送信を示す図である。図2に示すように、該異質ネットワークでは、例えば、２つの第一基地局STP1及びSTP2を含み、STP1は、そのカバレッジ内のユーザ装置UE1及びUE2に、STP1とMTPとの間の第一チャンル情報をブロードキャストすることができ、STP2は、そのカバレッジ内のユーザ装置UE2及びUE3に、STP2とMTPとの間の第一チャンル情報をブロードキャストすることができる。
【００３６】
ステップ102では、ユーザ装置は、１つ又は複数の第一チャンル情報に対応する第一基地局の標識情報を該第二基地局に報告することができ、また、さらに１つ又は複数の第一チャンル情報を第二基地局に報告することができる。
【００３７】
図3は、本発明の実施例におけるユーザ装置から第二基地局への情報の報告を示す図である。図3に示すように、UE1は、MTPに、STP1とMTPとの間の第一チャンル情報及び／又はSTP1の標識情報を報告することができ、また、UE2は、MTPに、STP2とMTPとの間の第一チャンル情報及び／又はSTP2の標識情報を報告することができる。
【００３８】
また、図3は、UE3が報告することを示していないが、ユーザ装置は、ニーズに応じて、フィードバックを行っても良い。例えば、具体的にどのようなユーザ装置が第一チャンル情報及び／又はSTP標識情報を報告する必要があるかは、第二基地局が上位層シグナリングを送信することにより設定されても良い。
【００３９】
これにより、ユーザ装置の転送により、MTPは、柔軟なデュプレックス伝送に必要な第一チャンル情報を得ることができ、また、MTPは、さらに、ユーザ装置とMTPとの間のチャンルの第二チャンル情報を得ることができ、そして、MTPは、これらのチャンル情報に基づいて、合理的なスケジューリング・デシジョンを行うことができる。そのため、STP及びユーザ装置が同時に柔軟な上り下りリンク伝送を行うことをサポートすることができる。
【００４０】
図4は、本発明の実施例におけるもう１つの情報伝送方法を示す図であり、ユーザ装置側から説明をさらに行う。図4に示すように、該情報伝送方法は、次のようなステップを含む。
【００４１】
ステップ401：ユーザ装置が、第一基地局送信の、該第一基地局と第二基地局との間のチャンルに対応する第一チャンル情報を受信し；
ステップ402：ユーザ装置が、該ユーザ装置と該第二基地局との間のチャンルの第二チャンル情報を取得する。
【００４２】
本実施例では、該第二チャンル情報は、短期又は瞬時を表すパラメータ(例えば、チャンル推定により得られたCSI)であっても良く、長期を表すパラメータ(例えば、無線リソース測定により得られたRSRP及び／又はRSRQ)であっても良い。
【００４３】
ステップ403：ユーザ装置が、第二基地局に報告する必要のあるフィードバック情報を確定し；
本実施例では、ユーザ装置は、第一チャンル情報に対応する第一基地局の標識情報、及び／又は、該第一チャンル情報を該第二基地局に報告することができ、また、該第二チャンル情報を該第二基地局に報告することもできる。
【００４４】
フィードバック情報の具体的な内容に関して、実際のシナリオに応じて確定されても良く、例えば、後述のように方向情報に基づいて確定されても良いが、本発明は、これに限定されない。
【００４５】
ステップ404：ユーザ装置が、ある１つ又は複数の上りリンクタイムスロットにおいて第二基地局に該フィードバック情報を報告する。
【００４６】
本実施例では、第一チャンル情報に対応する第一基地局の標識情報、及び／又は、該第一チャンル情報は、ある１つのタイムスロットで第二基地局にフィードバックされても良いが、第二チャンル情報は、もう１つのタイムスロットで第二基地局にフィードバックされても良く；或いは、１つのタイムスロット中で上述のフィードバック情報を送信しても良い。なお、本発明は、これに限られず、実際のニーズに応じて、フィードバックのタイミング及び方式を確定しても良い。
【００４７】
ステップ405：ユーザ装置が、第二基地局送信のスケジューリング情報を受信し、また、該スケジューリング情報に基づいて上り下りリンク伝送を行う。
【００４８】
本実施例では、例えば、第二基地局は、該第一基地局及び該ユーザ装置を同時にスケジューリングすることができる。これにより、ユーザ装置は、第一基地局と同時に柔軟な上り下りリンク伝送を行うことができ、複数の装置間の上り下りリンク伝送による干渉を回避又は緩和することができる。
【００４９】
以上、ユーザ装置側から説明を行ったが、以下、複数の装置(第一基地局、ユーザ装置及び第二基地局)の角度から説明を行う。
【００５０】
図5は、本発明の実施例におけるもう１つの情報伝送方法を示す図であり、ユーザ装置、第一基地局及び第二基地局間の交互（やり取り）の場合を示している。図5に示すように、該情報伝送方法は、次のようなステップを含む。
【００５１】
ステップ501：第一基地局が、第一基地局と第二基地局との間の第一チャンル情報を取得し；
本実施例では、チャンル推定により第一基地局と第二基地局との間のCSIを得ても良く、及び／又は、無線リソース測定により第一基地局と第二基地局との間のRSRP及び／又はRSRQを得ても良い。例えば、STPは、アイドルタイムスロットにてMTP送信の参照信号を受信し、そして、STPとMTPとの間のCSIを推定することができる。
【００５２】
便宜のため、以下、第一チャンル情報がCSIであるケースのみを例として説明を行い、ここで、CSIは、方向情報、例えば、次のような情報のうちの１つ又は複数を含み、即ち、BI(BI、Beam  Index)、PMI(PMI、Precoding  Matrix  Indicator)、CRI(CRI、CSI-RS  resource  indicator)である。なお、本発明は、これに限定されず、他の第一チャンル情報についても同様な処理を行っても良い。
【００５３】
ステップ502：第一基地局がユーザ装置に第一チャンル情報を送信し；
本実施例では、例えば、STPは、STPとMTPとの間のチャンルのCSIとSTPの順番号をSTPのカバレッジ内のユーザ装置にブロードキャスト／送信することができる。例えば、STPは、MIB又はSIBによりブロードキャストし、又は、DCIにより送信することができる。
【００５４】
ステップ503：ユーザ装置が、該ユーザ装置と該第二基地局との間のチャンルの第二チャンル情報を取得し；
本実施例では、例えば、ユーザ装置は、チャンル推定により該ユーザ装置と該第二基地局との間のチャンルのCSIを得ることができ、及び／又は、無線リソース測定により該ユーザ装置と該第二基地局との間のチャンルのRSRP及び／又はRSRQを得ることができる。
【００５５】
ステップ504：ユーザ装置が、フィードバック情報を該第二基地局に報告する。
【００５６】
本実施例では、ユーザ装置は、該第一チャンル情報に対応する第一基地局の標識情報及び／又は該第一チャンル情報を報告することができ、また、さらに該第二チャンル情報を報告することができる。例えば、下りリンク通信のニーズがあるユーザ装置は、受信したSTPの情報を、自分のフィードバック待ち情報と一緒に、上りリンクタイムスロットにおいてMTPに転送することができる。
【００５７】
本実施例では、ユーザ装置は、周期的フィードバック方式で第二基地局に情報を報告しても良く、非周期的フィードバック方式で第二基地局に情報を報告しても良い。また、上述のフィードバック情報を同時に報告しても良く、異なる時刻に上述のフィードバック情報をそれぞれ報告しても良い。
【００５８】
１つの実施方式では、報告する情報のうちの、第一基地局の標識情報は、第二チャンル情報の方向と同じである(例えば、BI／PMI／CRIが同じであり、即ち、同時に上り下りリンク伝送を行うことに適しない)第一チャンル情報に対応する第一基地局の標識情報を含んでも良い。
【００５９】
例えば、各ユーザ装置は、MTPに、自分のBI／PMI／CRIをフィードバックし、且つ同じBI／PMI／CRIを有するSTPの順番号をフィードバックする。図3及びBIを例とすると、UE1の自分のBI(即ち、UE1とMTPとの間のチャンルのBI)が4であり、STP1がUE1に送信したBI(即ち、STP1とMTPとの間のチャンルのBI)も4である場合、UE1は、該STP1の標識情報をMTPに送信する。このように、MTPは、該ユーザ装置及び該STPが一緒に柔軟な上り下りリンク伝送を行うことをスケジューリングせず、これにより、干渉を回避又は緩和することができる。
【００６０】
もう１つの実施方式では、報告する情報のうちの、第一基地局の標識情報は、該ユーザ装置と同時に上り下りリンク伝送を行うことに適した１つ又は複数の第一基地局の標識情報を含んでも良い。
【００６１】
例えば、各ユーザ装置は、MTPに、自分のBI／PMI／CRIをフィードバックし、且つ該ユーザ装置と一緒に柔軟な上り下りリンク伝送を行うことに適したSTPの順番号をフィードバックし、また、さらに該STPのBI／PMI／CRIをフィードバックしても良い。ここで、該ユーザ装置と共に柔軟な上り下りリンク伝送を行うことに適したSTPは、１つ又は複数であっても良い。
【００６２】
他の実施方式では、報告する情報のうちの、第一基地局の標識情報は、ユーザ装置が受信到した全ての第一チャンル情報に対応する第一基地局の標識情報を含んでも良い。
【００６３】
例えば、各ユーザ装置は、MTPに、自分のBI／PMI／CRIをフィードバックし、且つ受信した全てのSTPの順番号をフィードバックし、また、さらに全てのSTPが送信したBI／PMI／CRIをフィードバックしても良い。このような実施方式は、比較的大きいフィードバック量を要する可能性がある。
【００６４】
なお、ここで、STPの順番号は、ネットワーク全体でSTPの唯一の順番号であっても良く、又は、例えば、マクロ基地局のカバレッジ内で全てのSTPに一時的に設定される順番号であっても良いが、本発明は、これに限定されない。また、以上の実施方式は、BI／PMI／CRIのみを例として説明を行ったが、他のチャンル情報についても同様な処理を行っても良い。
【００６５】
ステップ505：第二基地局が、報告されたフィードバック情報に基づいて、スケジューリング・デシジョンを行う。
【００６６】
本実施例では、第二基地局は、第二チャンル情報及び第一チャンル情報に対応する第一基地局の標識情報に基づいてスケジューリング・デシジョンを行っても良く、又は、第二チャンル情報、第一チャンル情報、及び該第一チャンル情報に対応する第一基地局の標識情報に基づいてスケジューリング・デシジョンを行っても良い。
【００６７】
ステップ506：第二基地局が、第一基地局及び／又はユーザ装置に、スケジューリング情報を送信し；
本実施例では、例えば、第二基地局は、該第一基地局及び該ユーザ装置を同時にスケジューリングすることにより、該第一基地局及び該ユーザ装置が上り下りリンク伝送を同時に行うようにさせることができる。
【００６８】
本実施例では、１つ又は複数のユーザ装置は、１つ又は複数の第一基地局と上り下りリンク伝送を同時に行っても良く(例えば、１つのユーザ装置は、下りリンク伝送状態にあり、複数の第一基地局は、上りリンク伝送状態にある)、また、異なるユーザ装置に対応する第一基地局は、異なって良い。なお、実際のニーズに応じて具体的なシナリオを確定しても良い。
【００６９】
また、図5は、本発明の実施例を例示的に説明したが、本発明は、これに限定されない。各ステップ間の実行順序を適切に調整しても良く、例えば、ステップ503は、ステップ501の前に実行されても良く、ステップ501と並列に実行されても良い。また、さらに幾つかのステップを増減しても良く、例えば、ステップ504は、異なる時刻に実行されて、第一チャンル情報及び第二チャンル情報をそれぞれ送信しても良い。さらに、当業者は、上述の内容に基づいて適切に変更しても良く、即ち、本発明は、上述の図面などの記載に限られない。
【００７０】
上述の実施例から分かるように、第一基地局が該第一基地局と第二基地局との間のチャンル情報を得てユーザ装置に送信し、ユーザ装置が該チャンル情報を第二基地局に転送することにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、複数の装置間の上り下りリンク伝送による干渉を回避又は緩和することができる。
【実施例２】
【００７１】
本発明の実施例は、情報伝送方法を提供し、それは、第一基地局に応用され、また、実施例1と同じ内容は、省略される。
【００７２】
図6は、本発明の実施例における情報伝送方法を示す図である。図6に示すように、該情報伝送方法は、次のようなステップを含む。
【００７３】
ステップ601：第一基地局が、該第一基地局と該第二基地局との間のチャンルの第一チャンル情報を取得し；
ステップ602：第一基地局が、ユーザ装置に、該第一基地局と該第二基地局との間のチャンルの第一チャンル情報を送信する。
【００７４】
本実施例では、第一チャンル情報は、チャンル推定により得られたCSIを含んでも良い。例えば、MTPとSTPとの間のチャンル情報を得るために、STPは、アイドルタイムスロットにてMTP送信の参照信号を受信し、MTPとSTPとの間のCSIを推定しても良く、即ち、チャンル推定により第一基地局と第二基地局との間のCSIを取得する。
【００７５】
或いは、第一チャンル情報は、無線リソース測定により得られたチャンル測定情報を含んでも良い。例えば、第一基地局は、対応する無線リソース測定を行って、第一基地局と第二基地局との間のRSRP及び／又はRSRQを得ても良い。
【００７６】
これにより、第一基地局は、第一基地局と第二基地局との間のチャンルの第一チャンル情報を得ることができ、該第一チャンル情報は、短期又は瞬時を表すパラメータ(例えば、CSI)であっても良く、長期を表すパラメータ(例えば、RSRP及び／又はRSRQ)であっても良い。また、第一基地局は、該第一チャンル情報をユーザ装置に送信することもできる。
【００７７】
図6に示すように、該情報伝送方法は、さらに、次のようなステップを含んでも良い。
【００７８】
ステップ603：第一基地局が、第二基地局送信のスケジューリング情報を受信し；
本実施例では、例えば、第二基地局は、該第一基地局及び該ユーザ装置を同時にスケジューリングすることで、該第一基地局及び該ユーザ装置が同時に上り下りリンク伝送を行うようにさせることができる。
【００７９】
本実施例では、１つ又は複数のユーザ装置は、同時に１つ又は複数の第一基地局と上り下りリンク伝送(例えば、１つのユーザ装置は、下りリンク伝送を行い、複数の第一基地局は、上りリンク伝送を行う)を行うことができ、また、異なるユーザ装置が対応する第一基地局は、異なっても良い。なお、実際のニーズに応じて具体的なシナリオを確定しても良い。
【００８０】
本実施例では、該スケジューリング情報は、従来のDCIフォーマット1〜5と異なる新しいDCIフォーマットを使用して送信されても良い。例えば、該新しいDCIフォーマットをDCIフォーマット6(DCI  format  6)として定義しても良い。
【００８１】
例えば、MTPが下りリンク伝送を行い、STPが上りリンク伝送を行う時に、DCI  format  6は、関連する上り下りリンク伝送のスケジューリングのために用いられ、次のような情報を含んでも良い。
【００８２】
・STPと上りリンク伝送を行うユーザ装置が使用する物理上りリンク制御チャンル(PUCCH、Physical  Uplink  Control  Channel)及び／又は物理上りリンク共有チャンル(PUSCH、Physical Uplink Shared Channel)リソース；及び／又は
・上りリンク伝送を行うユーザ装置のPUSCH及びPUCCHの送信パワー制御命令である。
【００８３】
或いは、上述の情報の他に、同時にDCI  format  2D中の情報を含んでも良い。MTPは、DCI  format  6によりスケジューリング情報を送信し、STP及び対応するユーザ装置は、DCI  format  6により搬送されるスケジューリング情報を受信し、これにより、柔軟な上り下りリンク伝送を行うことができる。
【００８４】
上述の実施例から分かるように、第一基地局が該第一基地局と第二基地局との間のチャンル情報を得てユーザ装置に送信し、ユーザ装置が該チャンル情報を第二基地局に転送し、これにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、複数の装置の間の上り下りリンク伝送による干渉を回避又は緩和することができる。
【実施例３】
【００８５】
本発明の実施例は、情報伝送方法を提供し、それは、第二基地局に用いられ、実施例1又は実施例2と同じ内容は、省略される。
【００８６】
図7は、本発明の実施例の情報伝送方法を示す図である。図7に示すように、該情報伝送方法は、次のようなステップを含む。
【００８７】
ステップ701：第二基地局が、ユーザ装置報告の第一基地局と第二基地局との間のチャンルの第一チャンル情報、及び／又は、該第一チャンル情報に対応する第一基地局の標識情報を受信し；
ステップ702：第二基地局が、ユーザ装置報告の該ユーザ装置と該第二基地局との間のチャンルの第二チャンル情報を受信する。
【００８８】
ここで、第一チャンル情報及び／又は第二チャンル情報は、次のようなものを含んでも良く、即ち、チャンル推定により得られたCSI、及び／又は、無線リソース測定により得られたチャンル測定情報である。なお、本発明は、これに限定されず、例えば、さらに他のチャンル情報であっても良い。
【００８９】
本実施例では、ステップ701及びステップ702は、同時に行うことができ、例えば、同時にユーザ装置送信の第一チャンル情報及び第二チャンル情報を受信することができる。また、ステップ701及びステップ702は、同時に実行しなくても良く、例えば、異なる時刻でそれぞれユーザ装置送信の第一チャンル情報及び第二チャンル情報を受信しても良い。ステップ701とステップ702との間の実行順序は、これに限られず、例えば、ステップ702は、ステップ701の前に行うこともできる。
【００９０】
図7に示すように、該情報伝送方法は、さらに、次のステップを含んでも良い。
【００９１】
ステップ703：第二基地局が、ユーザ装置報告のフィードバック情報に基づいてスケジューリング・デシジョンを行い；
本実施例では、第二基地局は、１つ又は複数のユーザ装置が報告したフィードバック情報に基づいてスケジューリング・デシジョンを行うことができる。また、第二基地局は、スケジューリング・デシジョンを行う時に、さらに１つの又は複数のユーザ装置が送信した第一チャンル情報を参照することもできる。
【００９２】
ステップ704：第二基地局が、第一基地局及びユーザ装置にスケジューリング情報を送信し；
本実施例では、例えば、第二基地局は、同時に該第一基地局及び該ユーザ装置をスケジューリングして、第一基地局及びユーザ装置が同時に上り下りリンク伝送を行うようにさせることができる。
【００９３】
ここで、スケジューリング情報は、従らのDCIフォーマット1〜5と異なる新しいDCIフォーマットを用いて送信することができる。例えば、該新しいDCIフォーマットをDCIフォーマット6(DCI  format  6)として定義しても良く、これについては、実施例2中の関連内容を参照することができる。
【００９４】
上述の実施例から分かるように、第一基地局が該第一基地局と第二基地局との間のチャンル情報を得てユーザ装置に送信し、ユーザ装置が該チャンル情報を第二基地局に転送し、これにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、複数の装置の間の上り下りリンク伝送による干渉を回避又は緩和することができる。
【実施例４】
【００９５】
本発明の実施例は、情報伝送装置を提供し、それは、ユーザ装置に設置される。本発明の実施例は、実施例1の情報伝送方法に対応し、実施例1と同じ内容は、省略される。
【００９６】
図8は、本発明の実施例の情報伝送装置を示す図である。図8に示すように、情報伝送装置800は、次のようなものを含む。
【００９７】
情報受信ユニット801：第一基地局送信の前記第一基地局と第二基地局との間のチャネルに対応する第一チャンル情報を受信し；
情報報告ユニット802：前記第一チャンル情報に対応する第一基地局の標識情報、及び／又は、前記第一チャンル情報を該第二基地局に報告する。
【００９８】
図8に示すように、情報伝送装置800は、さらに、次のようなものを含んでも良い。
【００９９】
情報取得ユニット803：ユーザ装置と第二基地局との間のチャンルの第二チャンル情報を取得し；
情報報告ユニット802は、さらに、該第二チャンル情報を第二基地局に報告するために用いられる。図8に示すように、情報伝送装置800は、さらに、次のようなものを含んでも良い。
【０１００】
スケジューリング受信ユニット804：第二基地局送信のスケジューリング情報を受信し、該スケジューリング情報に基づいて上り下りリンク伝送を行う。
【０１０１】
本実施例では、例えば、第二基地局は、同時に該第一基地局及び該ユーザ装置をスケジューリングすることができる。これにより、ユーザ装置は、第一基地局と同時に柔軟な上り下りリンク伝送を行うことができ、複数の装置の間の上り下りリンク伝送による干渉を回避又は緩和することができる。
【０１０２】
本実施例では、第一チャンル情報及び／又は第二チャンル情報は、次のようなものを含んでも良く、例えば、チャンル推定により得られたCSI、及び／又は、無線リソース測定により得られたチャンル測定情報である。なお、本発明は、これに限定されず、さらに他のチャンル情報であっても良い。
【０１０３】
本実施例では、第一チャンル情報には、方向情報が含まれても良く、前記方向情報は、次のような情報の１つ又は複数を含み、即ち、BI、PMI、及びCRIである。第一チャンル情報は、第一基地局がMIB及び／又はSIBにより送信しても良く、又は、DCIにより送信しても良い。
【０１０４】
本実施例では、情報報告ユニット802は、周期的フィードバック方式又は非周期的フィードバック方式で、第二基地局に第一チャンル情報及び／又は第一チャンル情報に対応する第一基地局の標識情報を送信しても良い。情報報告ユニット802は、周期的フィードバック方式又は非周期的フィードバック方式で、第二基地局に第二チャンル情報を送信しても良い。
【０１０５】
本実施例では、第一チャンル情報に対応する第一基地局の標識情報は、第二チャンル情報の方向と同じである第一チャンル情報に対応する第一基地局の標識情報；又は、該ユーザ装置と同時に上り下りリンク伝送を行うことに適した１つ又は複数の第一基地局の標識情報；又は、該ユーザ装置が受信した全ての第一チャンル情報に対応する第一基地局の標識情報を含んでも良い。
【０１０６】
本発明の実施例は、さらに、ユーザ装置を提供し、その中には、上述の情報伝送装置800が設置される。
【０１０７】
図9は、本発明の実施例のユーザ装置を示す図である。図9に示すように、該ユーザ装置900は、中央処理装置100及び記憶器140を含み、記憶器140は、中央処理装置100に接続される。なお、該図は、例示に過ぎず、さらに他の類型の構造を以て該構造に対して補充又は代替を行うことで、電気通信機能又は他の機能を実現しても良い。
【０１０８】
１つの実施方式では、情報伝送装置800の機能は、中央処理装置100に統合することができる。ここで、中央処理装置100は、実施例1に記載の情報伝送方法を実現するように構成されても良い。
【０１０９】
例えば、中央処理装置100は、次のような制御を行うように構成されても良く、即ち、第一基地局送信の前記第一基地局と第二基地局との間のチャンルに対応する第一チャンル情報を受信し、前記第一チャンル情報に対応する第一基地局の標識情報及び／又は前記第一チャンル情報を前記第二基地局に報告する。
【０１１０】
他の実施方式では、情報伝送装置800は、中央処理装置100と別々で設置されても良く、例えば、情報伝送装置800を、中央処理装置100に接続されるチップとして設置し、中央処理装置100の制御下で情報伝送装置800の機能を実現しても良い。
【０１１１】
図9に示すように、該ユーザ装置900は、さらに、通信モジュール110、入力ユニット120、表示器160及び電源170を含んでも良い。ここで、これらの部品の機能は、従来技術と同様であるため、詳しい説明は、省略される。なお、ユーザ装置900は、必ずしも図9に示す全ての部品を含む必要がなく、即ち、これらの部品は、必須なものでない。また、ユーザ装置900は、さらに、図9に無いものを含んでも良く、これについては、従来技術を参照することができる。
【０１１２】
本実施例では、ユーザ装置は、従来の伝送モード1〜10と異なる新しい伝送モード(TM、Transmission  Mode)を用いるように構成されても良く、例えば、該新しい伝送モードは、TM  11と定義されても良い。
【０１１３】
例えば、上位層により、ユーザ装置が、C-RNTI(C-RNTI、Cell  Radio  Network  Temporary  Identifier)でスクランブル（Scramble）されているCRC(CRC、Cyclic  Redundancy  Check)によって、物理下りリンク制御チャンル(PDCCH、Physical  Downlink  Control  Channel)のためにデコードを行うように構成される場合、ユーザ装置は、次の表1に従って、PDCCH及び対応する物理下りリンク共有チャンル(PDSCH、Physical  Downlink  Shared  Channel)のためにデコードを行うことができる。
【０１１４】
表1は、C-RNTIにより設定されているPDCCH及びPDSCHである。
【表１】
2019511159.tif 000003
【０１１５】
また、例えば、上位層により、ユーザ装置が、C-RNTIでスクランブルされているCRCによってEPDCCH(Enhanced  PDCCH)のためにデコードを行うように設定される場合、ユーザ装置は、次の表2に従って、EPDCCH及び対応するPDSCHのためにデコードを行うことができる。
【０１１６】
表2は、C-RNTIにより設定されているEPDCCH及びPDSCHである。
【表２】
2019511159.tif 000004
【０１１７】
従来の規格では、例えば、TM  9及びTM  10は、ともに、最大で8個のデータ流のマルチ入力マルチ出力(MIMO、Multiple  Input  Multiple  Output)伝送をサポートし得るが、TM  10には、DCI  format  2Dを使用し、TM  9には、DCI  format  2Cを使用し、即ち、TM  10は、送信端の複数のアンテナが同一の基地局に位置しないことをサポートする。
【０１１８】
上述の表1及び表2に示すように、TM  11も、TM  9と同様であり、最大で8個のデータ流のMIMO伝送をサポートし得る。しかし、TM  10に比べ、TM  11では、データを同時に送信する送信アンテナは、すべて、基地局に位置しなくても良く、ユーザ装置(上りリンク伝送を行うUE)に位置しても良い。
【０１１９】
よって、TM  11は、MTPと下りリンク伝送を行うユーザ装置に設定されてもよく、上りリンク伝送を同時に行うSTPは、対応するTM設定を受信し、そして、DCI  format  6をサーチ（search）することで、STPを用いて上りリンク伝送を行うユーザ装置のスケジューリング情報を得ることもできる。また、MTPと下りリンク伝送を同時に行うユーザ装置は、DCI  format  6をサーチすることで、下りリンクスケジューリング情報、特に、アンテナポート情報を得ることもできる。
【０１２０】
なお、表1及び表2は、TM  11の内容のみを示しているが、本発明は、これに限定されない。また、伝送モード(例えば、TM  1〜10)の内容については、関連する規格を参照することができ、ここでは、詳細な説明を省略する。
【０１２１】
上述の実施例から分かるように、第一基地局が該第一基地局と第二基地局との間のチャンル情報を得てユーザ装置に送信し、ユーザ装置が該チャンル情報を第二基地局に転送し、これにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、複数の装置の間の上り下りリンク伝送による干渉を回避又は緩和することができる。
【実施例５】
【０１２２】
本発明の実施例は、情報伝送装置を提供し、それは、第一基地局に設定される。本発明の実施例は、実施例2の情報伝送方法に対応し、実施例1又は実施例2と同じ内容は、省略される。
【０１２３】
図10は、本発明の実施例の情報伝送装置を示す図である。図10に示すように、情報伝送装置1000は、次のようなものを含む。
【０１２４】
情報取得ユニット1001：前記第一基地局と前記第二基地局との間のチャンルの第一チャンル情報を取得し；
情報送信ユニット1002：ユーザ装置に、前記第一基地局と前記第二基地局との間のチャンルの前記第一チャンル情報を送信する。
【０１２５】
本実施例では、第一チャンル情報は、チャンル推定により得られたCSI、及び／又は、無線リソース測定により得られたチャンル測定情報(例えば、RSRP又はRSRQ)を含んでも良い。なお、本発明は、これに限定されず、例えば、さらに他のチャンル情報であっても良い。
【０１２６】
図10に示すように、情報伝送装置1000は、さらに、次のようなものを含んでも良い。
【０１２７】
スケジューリング受信ユニット1003：第二基地局送信のスケジューリング情報を受信し、そして、該スケジューリング情報に基づいて上り下りリンク伝送を行う。
【０１２８】
本実施例では、例えば、第二基地局は、該第一基地局及び該ユーザ装置を同時にスケジューリングして、該第一基地局及び該ユーザ装置が同時に上り下りリンク伝送を行うようにさせることができる。
【０１２９】
本発明の実施例は、さらに、基地局を提供し、その中には、上述の情報伝送装置1000が設けられる。
【０１３０】
図11は、本発明の実施例における基地局の構成図である。図11に示すように、基地局1100は、中央処理装置(CPU)200及び記憶器210を含んでも良く、記憶器210は、中央処理装置200に接続される。ここで、該記憶器210は、各種データを記憶しても良く、また情報処理用プログラムをさらに記憶しても良く、且つ中央処理装置200の制御下で該プログラムを実行することができる。
【０１３１】
ここで、中央処理装置200は、実施例2における情報伝送方法を実現するように設定されても良い。例えば、中央処理装置100は、次のような制御を行うように設定されても良く、即ち、第一基地局と第二基地局との間のチャンルの第一チャンル情報を取得し、ユーザ装置に該第一基地局と該第二基地局との間のチャンルの第一チャンル情報を送信する。
【０１３２】
また、図11に示すように、基地局1100は、さらに、送受信機220、アンテナ230などを含んでも良く、ここで、これらの部品の機能は、従来技術と同様であるため、詳しい説明は、省略される。なお、基地局1100は、必ずしも図11中の全ての部品を含む必要がない。また、基地局1100は、さらに、図11に無いものを含んでも良く、これについては、従来技術を参照することができる。
【０１３３】
上述の実施例から分かるように、第一基地局が該第一基地局と第二基地局との間のチャンル情報を得てユーザ装置に送信し、ユーザ装置が該チャンル情報を第二基地局に転送し、これにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、複数の装置の間の上り下りリンク伝送による干渉を回避又は緩和することができる。
【実施例６】
【０１３４】
本発明の実施例は、情報伝送装置を提供し、それは、第二基地局に設定される。本発明の実施例は、実施例3の情報伝送方法に対応し、実施例1〜3と同じ内容は、省略される。
【０１３５】
図12は、本発明の実施例における情報伝送装置を示す図である。図12に示すように、情報伝送装置1100は、次のようなものを含む。
【０１３６】
第一情報受信ユニット1201：ユーザ装置報告の第一基地局と第二基地局との間のチャンルの第一チャンル情報、及び／又は、第一チャンル情報に対応する第一基地局の標識情報を受信し；
第二情報受信ユニット1202：ユーザ装置報告の該ユーザ装置と第二基地局との間のチャンルの第二チャンル情報を受信する。
【０１３７】
本実施例では、第一チャンル情報及び／又は第二チャンル情報は、チャンル推定により得られたCSI、及び／又は、無線リソース測定により得られたチャンル測定情報を含んでも良い。なお、本発明は、これに限定されず、例えば、さらに他のチャンル情報であっても良い。
【０１３８】
図12に示すように、情報伝送装置1200は、さらに、次のようなものを含んでも良い。
【０１３９】
スケジューリング・デシジョン・ユニット1203：ユーザ装置報告のフィードバック情報に基づいて、スケジューリング・デシジョンを行い；
スケジューリング送信ユニット1204：前記第一基地局及び前記ユーザ装置にスケジューリング情報を送信し；
本実施例では、例えば、第二基地局は、該第一基地局及び該ユーザ装置を同時にスケジューリングすることで、前記第一基地局及び前記ユーザ装置が同時に上り下りリンク伝送を行うようにさせることができる。
【０１４０】
本実施例では、スケジューリング情報は、従来のDCIフォーマット1〜5と異なる新しいDCIフォーマットを使用しても良い。例えば、新しいDCIフォーマットをDCIフォーマット6(DCI  format  6)として定義しても良く、これについては、実施例2中の関連する内容を参照することができる。
【０１４１】
本発明の実施例は、さらに、基地局を提供し、その中には、上述の情報伝送装置1200が構成される。該基地局の構成は、図11を参照することができ、図11に示すうに、該基地局は、中央処理装置(CPU)200及び記憶器210を含んでも良く、記憶器210は、中央処理装置200に接続される。ここで、該記憶器210は、各種データを記憶しても良く、また、情報処理用プログラムをさらに記憶しても良く、且つ中央処理装置200の制御下で該プログラムを実行することができる。
【０１４２】
ここで、中央処理装置200は、実施例3中の情報伝送方法を実現するように設定されても良い。例えば、中央処理装置100は、次のような制御を行うように設定されても良く、即ち、ユーザ装置報告の第一基地局と第二基地局との間のチャンルの第一チャンル情報、及び／又は、第一チャンル情報に対応する第一基地局の標識情報を受信し、ユーザ装置報告の該ユーザ装置と第二基地局との間のチャンルの第二チャンル情報を受信する。
【０１４３】
上述の実施例から分かるように、第一基地局が該第一基地局と第二基地局との間のチャンル情報を得てユーザ装置に送信し、ユーザ装置が該チャンル情報を第二基地局に転送し、これにより、スケジューリング・デシジョンを行う第二基地局は、柔軟なデュプレックス伝送に必要なチャンル情報を得ることができるので、複数の装置が同時に柔軟な上り下りリンク伝送を行うようにサポートすることができ、複数の装置の間の上り下りリンク伝送による干渉を回避又は緩和することができる。
【実施例７】
【０１４４】
本発明の実施例は、さらに、通信システムを提供し、実施例1〜6と同じ内容は、省略される。
【０１４５】
図13は、本発明の実施例における通信システムを示す図である。図13に示すように、通信システム1300は、第一基地局1301、第二基地局1302及びユーザ装置1303を含む。
【０１４６】
ここで、第一基地局1301は、第一基地局1301と第二基地局1302との間のチャンルの第一チャンル情報を取得し、また、ユーザ装置1303に第一基地局1301と第二基地局1302との間のチャンルの該第一チャンル情報を送信する。
【０１４７】
ユーザ装置1303は、第一基地局1301が送信した第一チャンル情報を受信し、また、第一チャンル情報に対応する第一基地局1301の標識情報及び／又は第一チャンル情報を第二基地局1302に報告する。
【０１４８】
第二基地局1302は、１つ又は複数のユーザ装置1303が報告したフィードバック情報を受信する。これにより、第二基地局1302は、これらの情報に基づいてスケジューリング・デシジョンを行うことができる。
【０１４９】
本実施例では、ユーザ装置1303は、新しい伝送モード、例えば、TM  11を使うように設定されても良い。
【０１５０】
本発明の実施例は、さらに、コンピュータ可読プログラムを提供し、ここで、ユーザ装置中で前記プログラムを実行する時に、前記プログラムは、コンピュータに、前記ユーザ装置中で実施例1に記載の情報伝送方法を実行させる。
【０１５１】
本発明の実施例は、さらに、コンピュータ可読プログラムを記憶した記憶媒体を提供し、ここで、前記コンピュータ可読プログラムは、コンピュータに、ユーザ装置中で実施例1に記載の情報伝送方法を実行させる。
【０１５２】
本発明の実施例は、さらに、コンピュータ可読プログラムを提供し、ここで、基地局中で前記プログラムを実行する時に、前記プログラムは、コンピュータに、前記基地局中で実施例2又は実施例3に記載の情報伝送方法を実行させる。
【０１５３】
本発明の実施例は、さらに、コンピュータ可読プログラムを記憶した記憶媒体を提供し、ここで、前記コンピュータ可読プログラムは、コンピュータに、基地局中で実施例2又は実施例3に記載の情報伝送方法を実行させる。
【０１５４】
本発明の以上の装置及び方法は、ソフトウェア又はハードウェアにより実現されても良く、ハードウェアとソフトウェアとの組み合わせにより実現されても良い。本発明はさらに下記のようなコンピュータ読み取り可能なプログラムに関し、即ち、該プログラムは、ロジック部品により実行されるときに、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１５５】
図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積バックホール（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１５６】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2019511159.tif 000005
【図２】
2019511159.tif 000006
【図３】
2019511159.tif 000007
【図４】
2019511159.tif 000008
【図５】
2019511159.tif 000009
【図６】
2019511159.tif 000010
【図７】
2019511159.tif 000011
【図８】
2019511159.tif 000012
【図９】
2019511159.tif 000013
【図１０】
2019511159.tif 000014
【図１１】
2019511159.tif 000015
【図１２】
2019511159.tif 000016
【図１３】
2019511159.tif 000017
【国際調査報告】
2019511159.tif 000018
2019511159.tif 000019
2019511159.tif 000020
2019511159.tif 000021